(57)【要約】      （修正有）【課題】地震によって一方の躯体と他方の躯体が異なる方向に揺れ動いた場合であっても、破損等せずに地震による揺れ動きを吸収できる階段用目地装置を提供すること。【解決手段】一方の躯体３と、一方の躯体に一端部が取り付けられた階段５と、階段の他端部の踊り場に目地部２を介して設けられた他方の躯体４と、他方の躯体に設けられた目地プレート支持部７と、階段の他端部に一端部が取り付けられ、他端部が目地プレート支持部に支持され、目地部を塞ぐ目地プレートと、他方の躯体に一端部が固定され、他端部が目地プレートに支持され、かつ、目地プレート支持部を覆うカバープレート９とで構成され、地震によって一方と他方の躯体が揺れ動いた場合、階段は一方の躯体と同調して揺れ動く。【選択図】図１
2020059976.tif 000002
【特許請求の範囲】
【請求項１】
一方の躯体と、該一方の躯体に一端部が取り付けられた階段と、該階段の他端部の踊り場に目地部を介して設けられた他方の躯体と、該他方の躯体に設けられた目地プレート支持部と、前記階段の他端部に一端部が取り付けられ、他端部が前記目地プレート支持部に支持され、前記目地部を塞ぐ目地プレートと、前記他方の躯体に一端部が固定され、他端部が前記目地プレートに支持され、かつ、前記目地プレート支持部を覆うカバープレートとで構成され、地震によって一方と他方の躯体が揺れ動いた場合、前記階段は前記一方の躯体と同調して揺れ動く階段用目地装置。
【請求項２】
前記階段の前後方向の側部に前記目地部をカバーするカバー装置を更に備えることを特徴とする請求項１に記載の階段用目地装置。
【請求項３】
前記カバー装置は、前記階段の他端部の前後方向の両側部にそれぞれ設けられた一方の袖壁と、該一方の袖壁に対向するように他方の躯体にそれぞれ設けられた他方の袖壁と、前記一方の袖壁に一端部がスライド可能に挿入されるとともに、前記他方の袖壁に他端部がスライド可能に挿入され、ヒンジ部を有するカバー部材と、該カバー部材を内側へ付勢する付勢手段とで構成され、
前記カバー部材は、前記ヒンジ部を支点にして屈曲していることを特徴とする請求項２に記載の階段用目地装置。
【請求項４】
前記カバー装置は、前記階段の他端部の前後方向の両側部にそれぞれ設けられた一方のガイド部材と、該一方のガイド部材に対向するように他方の躯体にそれぞれ設けられた他方のガイド部材と、前記一方のガイド部材に一端部がスライド可能に挿入される一方の被ガイド部材と、前記他方のガイド部材に一端部がスライド可能に挿入される他方の被ガイド部材と、前記一方の被ガイド部材に一端部が回転可能に連結され、前記他方の被ガイド部材に他端部が回転可能に連結され、ヒンジ部を有するカバー部材と、前記一方の被ガイド部材及び前記他方の被ガイド部材をそれぞれ内側へ付勢する付勢手段とで構成され、
前記カバー部材は、前記ヒンジ部を支点にして屈曲していることを特徴とする請求項２に記載の階段用目地装置。
【請求項５】
前記カバー部材の下部には、転動部材が設けられていることを特徴とする請求項３又は請求項４のいずれかに記載の階段用目地装置。
【請求項６】
前記ヒンジ部が前記カバー部材の一端部と他端部の略中間に常時位置させる維持手段を更に備えることを特徴とする請求項３乃至請求項５のいずれかに記載の階段用目地装置。
【請求項７】
前記階段は、自動式階段であることを特徴とする請求項１乃至請求項６のいずれかに記載の階段用目地装置。
【請求項８】
前記目地プレートは、前記階段の他端部にスライド可能に取り付けられていることを特徴とする請求項１乃至請求項７のいずれかに記載の階段用目地装置。
【発明の詳細な説明】
【技術分野】
【０００１】
本発明は一方の躯体と他方の躯体間に設けられた自動式階段（エスカレーター）を含む階段の踊り場と躯体との間の目地部を塞ぐ階段用目地装置に関する。
【背景技術】
【０００２】
従来、一方の躯体と他方の躯体間に設けられたエスカレーターや階段は、その一端部（下階部分）の踊り場が一方の躯体に固定され、他端部（上階部分）の踊り場が他方の躯体に固定されている。
ところで、「踊り場」とは、本願発明においては自動式階段や階段の端部に設けられた平坦部をいう。
【０００３】
このような階段やエスカレーターにおいて、地震によって躯体が揺れ動いた場合に、その揺れ動きを吸収できるものとしては、「構造物の或る階とその上階との間に免震装置を設置した中間免震構造物において、免震装置の上，下階にわたってエスカレータを設置するにあたり、免震装置の上，下階の一方に、エスカレータのフレームの一端側を縦軸芯周りで回転自在に支持させ、他方には、縦軸芯周りで回転自在な支持部材を設けて、当該支持部材にエスカレータのフレームの他端側を平面視でエスカレータ長手方向にスライド自在に支持させてあることを特徴とする免震エスカレータ」が知られている。
しかし、このような免震エスカレータでは、上下階のいずれにも支持部材や目地プレート等を設けなければならないという欠点があった。
【先行技術文献】
【特許文献】
【０００４】
【特許文献１】特開２０００−０９５４７１号公報
【発明の概要】
【発明が解決しようとする課題】
【０００５】
本発明は以上のような従来の問題点に鑑み、地震によって一方の躯体と他方の躯体が異なる方向に揺れ動いた場合であっても、破損等せずに地震による揺れ動きを吸収でき、かつ、容易に設置可能な階段用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明の請求項１に記載の階段用目地装置は、一方の躯体と、該一方の躯体に一端部が固定的に設けられた階段と、該階段の他端部に目地部を介して設けられた他方の躯体と、該他方の躯体に設けられた目地プレート支持部と、前記階段の他端部に一端部が取り付けられ、他端部が前記目地プレート支持部に支持され、前記目地部を塞ぐ目地プレートと、前記他方の躯体に一端部が固定され、他端部が前記目地プレートに支持され、かつ、前記目地プレート支持部を覆うカバープレートとで構成されることを特徴とする。
【０００８】
請求項２に記載の階段用目地装置は、階段の他端部の前後方向と他方の躯体の間には、クリアランスが形成されるとともに、このクリアランスをカバーするカバー装置を備えることを特徴とする。
【０００９】
請求項３に記載の階段用目地装置のカバー装置は、前記階段の他端部の前後方向の両側部にそれぞれ設けられた一方の袖壁と、該一方の袖壁に対向するように他方の躯体にそれぞれ設けられた他方の袖壁と、前記一方の袖壁に一端部がスライド可能に挿入されるとともに、前記他方の袖壁に他端部がスライド可能に挿入され、ヒンジ部を有するカバー部材と、該カバー部材を内側へ付勢する付勢手段とで構成され、前記カバー部材は、前記ヒンジ部を支点にして屈曲していることを特徴とする。
【００１０】
請求項４に記載の階段用目地装置のカバー装置は、前記階段の他端部の前後方向の両側部にそれぞれ設けられた一方のガイド部材と、該一方のガイド部材に対向するように他方の躯体にそれぞれ設けられた他方のガイド部材と、前記一方のガイド部材に一端部がスライド可能に挿入される一方の被ガイド部材と、前記他方のガイド部材に一端部がスライド可能に挿入される他方の被ガイド部材と、前記一方の被ガイド部材に一端部が回転可能に連結され、前記他方の被ガイド部材に他端部が回転可能に連結され、ヒンジ部を有するカバー部材と、前記一方の被ガイド部材及び前記他方の被ガイド部材をそれぞれ内側へ付勢する付勢手段とで構成され、前記カバー部材は、前記ヒンジ部を支点にして屈曲していることを特徴とする。
【００１１】
請求項５に記載の階段用目地装置の前記カバー部材の下部には、転動部材が設けられていることを特徴とする。
【００１２】
請求項６に記載の階段用目地装置は、前記ヒンジ部が前記カバー部材の一端部と他端部の略中間に常時位置させる維持手段を更に備えることを特徴とする。
請求項７に記載の階段用目地装置の前記階段は、自動式階段であることを特徴とする。
請求項８に記載の階段用目地装置の前記目地プレートは、前記階段の他端部にスライド可能に取り付けられていることを特徴とする。
【発明の効果】
【００１３】
以上の説明から明らかなように、本発明にあっては次に列挙する効果が得られる。
（１）請求項１に記載の発明においては、階段の踊り場と他方の躯体との間に目地部を形成するとともに、この目地部を目地プレートやカバープレートで覆っているので、一方の躯体と他方の躯体が地震によって異なる揺れ動きをした場合であっても、躯体や階段が損傷することなく地震による揺れ動きを吸収することができる。
（２）階段は一方の躯体と同調して揺れ動くように設けられているので、階段の一端部側は、通常と同様の施工で設置することができる。
したがって、比較的容易に設置することができる。
（３）請求項２乃至請求項４に記載の各発明についても、前記（１）〜（２）と同様な効果が得られるとともに、階段の他端部の前後方向に目地部が開口している場合であっても、この目地部付近への立ち入りを制限することができ、安全に使用することができる。
（４）請求項５に記載の発明についても、前記（１）〜（３）と同様な効果が得られるとともに、スムーズにカバー部材をスライドさせることができる。
（５）請求項５に記載の発明についても、前記（１）〜（４）と同様な効果が得られるとともに、地震による揺れ動きが終了した後、カバー部材を確実に通常状態に復帰させることができる。
（６）請求項６及び請求項７に記載の各発明についても、前記（１）〜（５）と同様な効果が得られる。
【図面の簡単な説明】
【００１４】
図１乃至図９は本発明の第１の実施形態を示す説明図である。
図１０乃至図１２は本発明の第２の実施形態を示す説明図である。
図１３乃至図１７は本発明の第３の実施形態を示す説明図である。
図１８乃至図２０は本発明の第４の実施形態を示す説明図である。
図２１乃至図２３は本発明の第５の実施形態を示す説明図である。
【図１】第１の実施形態の階段用目地装置の平面図。
【図２】図１の２−２線に沿う断面図。
【図３】図１の３−３線に沿う断面図。
【図４】目地部及び目地プレート支持部の説明図。
【図５】目地プレートの説明図。
【図６】カバー装置の説明図。
【図７】地震で目地部が狭くなった動作説明図。
【図８】地震で目地部が広くなった動作説明図。
【図９】地震で左右の躯体が異なる前後方向に揺れ動いた場合の動作説明図。
【図１０】第２の実施形態の階段用目地装置の平面図。
【図１１】図１０の１１−１１線に沿う断面図。
【図１２】カバー装置の説明図。
【図１３】第３の実施形態の階段用目地装置の平面図。
【図１４】図１３の１４−１４線に沿う断面図。
【図１５】図１３の１５−１５線に沿う断面図。
【図１６】目地部及び目地プレート支持部の説明図。
【図１７】地震で左右の躯体が異なる前後方向に揺れ動いた場合の動作説明図。
【図１８】第４の実施形態の階段用目地装置の平面図。
【図１９】図１８の１９−１９線に沿う断面図。
【図２０】カバー装置の説明図。
【図２１】第５の実施形態の階段用目地装置の平面図。
【図２２】図２１の２２−２２線に沿う断面図。
【図２３】カバー装置の説明図。
【発明を実施するための形態】
【００１５】
以下、図面に示す本発明を実施するための形態により、本発明を詳細に説明する。
図１乃至図９に示す本発明を実施するための第１の形態において、１は目地部２を介して設けられた一方の躯体３と他方の躯体４間に設置された階段５の他端部と他方の躯体４の間に設けられた階段用目地装置である。
【００１６】
なお、左右方向とは図１における左右方向（符号の向きを基準）であり、前後方向とは図１における上下方向（符号の向きを基準）をいい、上下方向とは図２における上下方向をいう。
【００１７】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１８】
この階段用目地装置１は、図１乃至図３に示すように、一方の躯体３と、該一方の躯体３に一端部が固定的に設けられた階段５と、該階段５の他端部の踊り場６に目地部２を介して設けられた他方の躯体４と、該他方の躯体４に設けられた目地プレート支持７と、前記階段５の他端部に一端部が取り付けられ、他端部が前記目地プレート支持部７に支持され、前記目地部２を塞ぐ目地プレート８と、前記他方の躯体４に一端部が固定され、他端部が前記目地プレート８に支持され、かつ、前記目地プレート支持部７の上方を覆うカバープレート９と、階段５の前後方向の側部の目地部２ａをカバーするカバー装置１０とで構成されている。
【００１９】
ここで、「目地部２を塞ぐ」とは、目地部２の上を歩行者等の通行が通行できるように、前記目地部の少なくとも一部を塞ぐという意味で、本実施形態においては、エスカレーター５の他端部と連続するように平面視方形状の目地プレート８が設けられ、目地部２の歩行者等の通行ができるように目地部２の一部を塞いでいる。
【００２０】
階段５は、本願発明では、エスカレーターと通常の階段の両方を含むものであり、本実施形態では、エスカレーター５を例にして説明する。なお、エスカレーター５自体は、一般的なエスカレーター５と同様の構成であるので、その説明を割愛する。
【００２１】
例えば図２に示すように、エスカレーター５の一端部（低い方）は、一方の躯体３の床面に取り付けられており、エスカレーター５の他端部（高い方）は、支持部材１１を介して一方の躯体３の床面に支持されている。そのため、エスカレーター５は一方の躯体３と一体的に設けられており、地震時には一方の躯体３と同調して揺れ動く。
【００２２】
このエスカレーター５の他端部側の踊り場６は、他方の躯体４とは連続しておらず、他方の躯体４との間に前後方向及び左右方向の目地部２を有している。
この目地部２は、例えば図４に示すように、エスカレーター５の他端部の左右方向及び前後方向に所定の長さ形成されており、地震の際に左右方向及び前後方向の揺れ動きを吸収できる長さとなっている。
【００２３】
この目地部２のうち左右方向の目地部２ｂは目地プレート８によって塞がれている。この目地プレート８は、本実施形態においては、エスカレーター５の他端部側の踊り場６に連続するように、その一端部が前記踊り場６に固定的に取り付けられている。
【００２４】
エスカレーター５の他端部側の踊り場６と対向する他方の躯体４の部位には、凹所状の目地プレート支持部７が形成されており、この目地プレート支持部７の上面に前記目地プレート８の他端部が支持される。
【００２５】
本実施形態においては、図５に示すように、目地プレート８は平面視正方形あるいは矩形状で板状の部材で、目地プレート８の他端部側の底面に複数個のローラー等の転動部材１２が所定間隔を有して設けられており、この転動部材１２を介して目地プレート８の他端部が目地プレート支持部７に支持されている。なお、目地プレート８の他端部側の底面に転動部材１２を設けず、直接目地プレート支持部７の上面に目地プレート８を当接させ、支持してもよい。
【００２６】
この目地プレート８は、目地部２（地震による揺れ動き幅）の２倍以上、本実施形態においては、約２倍に形成されている。
【００２７】
目地プレート支持部７の長さは、少なくとも地震による揺れ動き幅の２倍以上で、かつ、地震時に目地プレート８が衝突しない寸法に形成されており、前後方向の寸法は、目地部２の前後方向の寸法と略同寸法に形成されている。
【００２８】
この目地プレート支持部７の上部には、カバープレート９が設けられ、凹所状の目地プレート支持部７を塞いでいる。このカバープレート９は、一端部が他方の躯体４の床面に固定され、他端部付近が目地プレート８の上面に支持されている。
【００２９】
前後方向の目地部２ａは、本実施形態においては、カバー装置１０を用いて目地部２ａに立ち入ることができないようにカバーしている。
【００３０】
このカバー装置１０は、本実施形態においては、図１、図６等に示すように、エスカレーター５の他端部の前後方向の両側部にそれぞれ設けられた一方の袖壁１３と、該一方の袖壁１３に対向するように他方の躯体４にそれぞれ設けられた他方の袖壁１４と、前記一方の袖壁１３に一端部がスライド可能に挿入されるとともに、前記他方の袖壁１４に他端部がスライド可能に挿入され、ヒンジ部１５を有するカバー部材１６と、該カバー部材１６を内側へ付勢する付勢手段１７とで構成されている。
【００３１】
一方の袖壁１３及び他方の袖壁１４は、正面視長方形状で、一方の側面が開口しており、内部が空洞状となっている。この空洞の部位にカバー部材１６の一端部及び他端部が挿入される。
【００３２】
前記カバー部材１６は、一端部及び他端部に前記袖壁１４に挿入される挿入部１８が形成されており、この挿入部１８と回動可能にカバー部材本体１９が接続されている。このカバー部材本体１９のほぼ中央部にはヒンジ部１５が形成されており、カバー部材本体１９は略山型になるように屈曲している。
すなわち、カバー部材１６は、前記ヒンジ部１５を支点にして外側へ凸となるように屈曲している。
【００３３】
前記付勢手段１７は、本実施形態においては、コイルスプリングを用いており、カバー部材本体１９に一端部が固定され、他端部が一方の袖壁１３又は他方の袖壁１４の内壁に固定されている。この付勢手段１７によって、カバー部材１６を内側（図２における左方向、カバー部材が露出する方向と逆側）へ引っ張るように付勢している。
本実施形態においては、一方の袖壁１３と他方の袖壁１４の両方に付勢手段１７を設けているが、どちらか一方のみに付勢手段１７をもうけてもよい。
【００３４】
このようにカバー部材１６を付勢することにより、カバー部材１６の挿入部１８が袖壁１３、１４から脱落することを防止するとともに、地震による揺れ動いた後、カバー部材１６を通常状態に自動的に復帰させることができる。
ところで、カバー部材本体１９や挿入部１８の底面にローラーやすべり材、ベアリング等の転動部材を設けてもよい。
【００３５】
また、カバー装置１０はこのような形態に限定されるものではなく、一対の袖壁１３、１４の間に伸縮可能なカバー等を設けるものであってもよいし、地震の揺れ動きに追従可能な壁パネル、手すり等を設けたものであってもよい。
【００３６】
地震で左右の躯体３、４が左右方向に揺れ動き、左右方向の目地部２ｂが狭くなると、図７に示すように、エスカレーター５は一方の躯体３に同調して揺れ動き、目地プレート８が目地プレート支持部７上を左右方向にスライド移動してその揺れ動きを吸収する。また、カバー装置１０のカバー部材１６の他端部側の挿入部１８も他方の袖壁１４から一部露出するように外方へ飛び出し、揺れ動きを吸収する。
【００３７】
地震で左右の躯体３、４が左右方向に揺れ動き、左右方向の目地部２ｂが広くなると、図８に示すように、エスカレーター５は一方の躯体３に同調して揺れ動き、目地プレート８が目地プレート支持部７上を左右方向にスライド移動してその揺れ動きを吸収する。また、カバー装置１０のカバー部材１６の一端部側の挿入部１８も一方の袖壁１３から一部露出するように外方へ飛び出し、揺れ動きを吸収する。
【００３８】
地震で左右の躯体３、４が前後方向に揺れ動き、前後方向の目地部２ａが狭くなると、図９に示すように、カバー装置１０のカバー部材１６がヒンジ部１５を支点に変形し、その揺れ動きを吸収する。
【００３９】
［発明を実施するための異なる形態］
次に、図１０乃至図２３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００４０】
図１０乃至図１２に示す本発明を実施するための第２の形態において、前記本発明を実施するための第１の形態と主に異なる点は、パンタグラフ状となるようにヒンジ部１５で連結したカバー部材本体１９Ａを用いたカバー部材１６Ａとし、このカバー部材１６Ａの内側にコイルスプリング２０を設けたカバー装置１０Ａを用いた点で、このような階段用目地装置１Ａにしても、前記本発明を実施するための第１の形態と同様の作用効果を得ることができる。
【００４１】
ところで、コイルスプリング２０については、必ずしも設けなくてもよいがこのコイルスプリング２０を設けることにより、カバー部材１６の通常状態（図１０の状態）への復帰がスムーズになる。
【００４２】
図１３乃至図１７に示す本発明を実施するための第３の形態において、前記本発明を実施するための第１の形態と主に異なる点は、エスカレーター５の他端部に設けられたスライドレール２１と、該スライドレール２１に一端部がスライド可能に支持された目地プレート８Ａを用いた点で、このような階段用目地装置１Ｂにしても、前記本発明を実施するための第１の形態と同様の作用効果を得ることができる。
【００４３】
本実施形態においては、目地プレート８Ａの前後方向の寸法は、目地部２の前後方向の寸法と略同寸法に形成されている。この目地プレート８Ａの一端部には、ローラー等の転動部材１２が設けられており、この転動部材１２が前記スライドレール２１上を摺動する。
【００４４】
地震で左右の躯体３、４が前後方向に揺れ動き、前後方向の目地部２ａが狭くなると、図１７に示すように、カバー装置１０のカバー部材１６がヒンジ部１５を支点に変形するとともに、目地プレート８Ａの一端部側の転動部材１２がスライドレール上を摺動し、その揺れ動きを吸収する。
【００４５】
すなわち、目地プレート８Ａがスライド可能に取り付けられていることにより、目地プレート８Ａが他方の躯体４と同調して揺れ動いても、目地プレート８Ａやエスカレーター５等が破損することなく地震による揺れ動きを吸収することができる。
このように構成することにより、エスカレーター５の他端部と他方の躯体４の床面間の目地部２の全体を確実に塞ぐことができる。
【００４６】
図１８乃至図２０に示す本発明を実施するための第４の形態において、前記本発明を実施するための第１の形態と主に異なる点は、一方の袖壁に代えて一方のガイド部材２２を用いるとともに、他方の袖壁に代えて他方のガイド部材２３を用い、前記一方のガイド部材２２に一端部がスライド可能に挿入される一方の被ガイド部材２４と、前記他方のガイド部材２３に一端部がスライド可能に挿入される他方の被ガイド部材２５と、前記一方の被ガイド部材２４に一端部が回転可能に連結され、前記他方の被ガイド部材２５に他端部が回転可能に連結され、ヒンジ部１５を有するカバー部材１６Ｂを用いてカバー装置１０Ｂを構成し、ヒンジ部１５が前記カバー部材１６Ｂの一端部と他端部の略中間に常時位置させる維持手段２６を更に備えた点で、このような階段用目地装置１Ｃにしても前記本発明を実施するための第１の形態と同様の作用効果を得ることができる。
【００４７】
一方のガイド部材２２は、上下一対の円筒状又は角筒状（パイプ状又は角パイプ状）、本実施形態においては、角筒状のガイド部材本体２７と、該ガイド部材本体２７を上下方向に連結するとともに、その下端部がエスカレーター５の他端部の床面に固定された固定脚２８とで構成されている。
【００４８】
なお、このガイド部材本体２７は、上下一対でなくてもよく、例えば、１つでもよいし、上下方向に３個以上設けてもよい。また、この上下のガイド部材本体２７の間にカバー板等を設けてもよく、カバー板等を設けない場合には、縦桟や横桟等を設けてもよい。
【００４９】
他方のガイド部材２３も一方のガイド部材２２と同様の構成であり、他方のガイド部材２３の固定脚２８の底面は他方の躯体４の床面に固定されている。
【００５０】
一方及び他方の被ガイド部材２４、２５は、一端部側がガイド部材本体２７に挿入される角柱状の部材で、他端部にはカバー部材１６Ｂが回転可能に設けられている。なお、この被ガイド部材を内側に付勢する付勢手段１７が設けられている。
【００５１】
カバー部材１６Ｂは、本実施形態においては、平面視山型状でその頂点部分にヒンジ部１５を備える上下一対のリンク部材２９と、このヒンジ部１５及び被ガイド部材２４、２５との接続部付近に設けられた支持脚３０と、この支持脚３０の下部に設けられたローラー等の転動部材１２とで構成されている。この支持脚３０はカバープレート９の段差を乗り越えられる程度に上下方向に移動できることが望ましい。
【００５２】
このリンク部材２９についても、上下一対でなくてもよく、例えば上下方向に３個以上設けてもよい。また、このリンク部材２９の間にカバー板等を設けてもよく、カバー板等を設けない場合には、縦桟や横桟等を設けてもよい。
【００５３】
ところで、本実施形態のヒンジ部１５は、リンク部材２９に設けられた透孔と、この透孔を貫通するボルトとで構成されており、このボルトの先端部に支持脚３０の縦桟等が螺合状態で取り付けられている。このボルトは、リンク部材の透孔と当接する部分にはネジ部を形成しないほうが望ましい。また、被ガイド部材２４、２５との接続部付近に設けられた支持脚３０については、リンク部材２９に溶接等により固定している。
ところで、被ガイド部材２４、２５についてもリンク部材２９との接続部付近に支持脚３０を設けてもよい。
【００５４】
維持手段２６は、本実施形態においては、一端部がガイド部材２２、２３にスライド移動及び回転可能取り付けられ、他端部が対抗する被ガイド部材２４、２５に回転可能に枢支され、かつ、中央枢支部３１を備えるパンタグラフ３２で構成されており、この中央枢支部３１は、常時一方のガイド部材２２と他方のガイド部材２３の前後方向の略中間部に位置する。この維持手段２６のパンタグラフ３２の他端部が被ガイド部材に取り付けられているため、地震によって一方及び他方の躯体３、４が揺れ動き、例えば一方の被ガイド部材２４がガイド部材２２から引き出されるように動作したとき、他方の被ガイド部材２５も同様にガイド部材２３から引き出され、ヒンジ部１５が前後方向のどちらかに移動することなく、常時一方のガイド部材２２と他方のガイド部材２３の略中間部に位置させることができる。
【００５５】
図２１乃至図２３に示す本発明を実施するための第５の形態において、前記本発明を実施するための第４の形態と主に異なる点は、エルボ状に形成され、その屈曲部分を回転可能に接続したヒンジ部１５にしたリンク部材２９Ａを用いたカバー部材１６Ｃを用いてカバー装置１０Ｃを構成した点で、このようなカバー装置を用いた階段用目地装置１Ｄにしても前記本発明を実施するための第４の形態と同様の作用効果を得ることができる。
なお、本発明の実施形態においては、自動式階段を想定して説明したが、本発明はこれに限られず、通常の階段に用いてもよい。
【００５６】
また、本発明の実施形態においては、カバー装置を有するものについて説明したが、例えば前後方向の揺れ動きが生じないような場合には、前後方向に目地部を形成する必要がないため、カバー装置を設けなくてもよく、前後方向に目地部を形成する場合であっても、目地プレートやカバープレート等で前後方向の目地部を塞ぎ、カバー装置を設けなくてもよい。
【００５７】
目地プレートについては、実施形態では平面視略方形状のものについて説明したが、平面視略Ｔ字状、平面視略コ字状の目地プレートを用いて目地部のすべての部分を塞いでもよい。このような場合、この目地プレートを支持でき、かつ、地震によって一方と他方の躯体が揺れ動いた場合に、目地プレートが衝突しないような目地プレート支持部（例えば略コ字状等）に形成し、カバープレートもこの目地プレート支持部の形状に合わせて形成する。
【００５８】
本発明の実施形態においては、階段の他端部は支持部材を介して一方の躯体に支持されていたが、例えば階段の他端部をベアリング等の転動部材を介してスライド可能に他方の躯体で支持し、地震時には一方の躯体と同調して揺れ動くように構成してもよい。
【産業上の利用可能性】
【００５９】
本発明は階段用目地装置を製造する産業で利用される。
【符号の説明】
【００６０】
１、１Ａ、１Ｂ、１Ｃ、１Ｄ：階段用目地装置、
２：目地部、
３：一方の躯体、                    ４：他方の躯体、
５：階段、                          ６：踊り場、
７：目地プレート支持部、            ８、８Ａ：目地プレート、
９：カバープレート、                
１０、１０Ａ、１０Ｂ、１０Ｃ：カバー装置、
１１：支持部材、                    １２：転動部材、
１３：一方の袖壁、                  １４：他方の袖壁、
１５：ヒンジ部、                    
１６、１６Ａ、１６Ｂ、１６Ｃ：カバー部材、
１７、１７Ａ：付勢手段、            １８：挿入部、
１９、１９Ａ：カバー部材本体、      ２０：コイルスプリング、
２１：スライドレール、              ２２：一方のガイド部材、
２３：他方のガイド部材、            ２４：一方の被ガイド部材、
２５：他方の被ガイド部材、          ２６：維持手段、
２７：ガイド部材本体、              ２８：固定脚
２９、２９Ａ：リンク部材、          ３０：支持脚、
３１：中央枢支部、                  ３２：パンタグラフ。
【図１】
2020059976.tif 000003
【図２】
2020059976.tif 000004
【図３】
2020059976.tif 000005
【図４】
2020059976.tif 000006
【図５】
2020059976.tif 000007
【図６】
2020059976.tif 000008
【図７】
2020059976.tif 000009
【図８】
2020059976.tif 000010
【図９】
2020059976.tif 000011
【図１０】
2020059976.tif 000012
【図１１】
2020059976.tif 000013
【図１２】
2020059976.tif 000014
【図１３】
2020059976.tif 000015
【図１４】
2020059976.tif 000016
【図１５】
2020059976.tif 000017
【図１６】
2020059976.tif 000018
【図１７】
2020059976.tif 000019
【図１８】
2020059976.tif 000020
【図１９】
2020059976.tif 000021
【図２０】
2020059976.tif 000022
【図２１】
2020059976.tif 000023
【図２２】
2020059976.tif 000024
【図２３】
2020059976.tif 000025
【手続補正書】
【提出日】令和1年11月1日(2019.11.1)
【手続補正１】
【補正対象書類名】特許請求の範囲
【補正対象項目名】全文
【補正方法】変更
【補正の内容】
【特許請求の範囲】
【請求項１】
一方の躯体と、該一方の躯体に一端部が取り付けられた階段と、該階段の他端部の踊り場に目地部を介して設けられた他方の躯体と、該他方の躯体に設けられた目地プレート支持部と、前記階段の他端部に一端部が取り付けられ、他端部が前記目地プレート支持部に支持され、前記目地部を塞ぐ目地プレートと、前記他方の躯体に一端部が固定され、他端部が前記目地プレートに支持され、かつ、前記目地プレート支持部を覆うカバープレートと、前記階段の前後方向の側部に設けられ、前記目地部をカバーするカバー装置とで構成され、
前記カバー装置は、前記階段の他端部の前後方向の両側部にそれぞれ設けられた一方の袖壁と、該一方の袖壁に対向するように他方の躯体にそれぞれ設けられた他方の袖壁と、前記一方の袖壁に一端部がスライド可能に挿入されるとともに、前記他方の袖壁に他端部がスライド可能に挿入され、ヒンジ部を有するカバー部材と、該カバー部材を内側へ付勢する付勢手段とで構成され、
前記カバー部材は、前記ヒンジ部を支点にして屈曲しており、地震によって一方と他方の躯体が揺れ動いた場合、前記階段は前記一方の躯体と同調して揺れ動く階段用目地装置。
【請求項２】
一方の躯体と、該一方の躯体に一端部が取り付けられた階段と、該階段の他端部の踊り場に目地部を介して設けられた他方の躯体と、該他方の躯体に設けられた目地プレート支持部と、前記階段の他端部に一端部が取り付けられ、他端部が前記目地プレート支持部に支持され、前記目地部を塞ぐ目地プレートと、前記他方の躯体に一端部が固定され、他端部が前記目地プレートに支持され、かつ、前記目地プレート支持部を覆うカバープレートと、前記階段の前後方向の側部に設けられ、前記目地部をカバーするカバー装置とで構成され、
前記カバー装置は、前記階段の他端部の前後方向の両側部にそれぞれ設けられた一方のガイド部材と、該一方のガイド部材に対向するように他方の躯体にそれぞれ設けられた他方のガイド部材と、前記一方のガイド部材に一端部がスライド可能に挿入される一方の被ガイド部材と、前記他方のガイド部材に一端部がスライド可能に挿入される他方の被ガイド部材と、前記一方の被ガイド部材に一端部が回転可能に連結され、前記他方の被ガイド部材に他端部が回転可能に連結され、ヒンジ部を有するカバー部材と、前記一方の被ガイド部材及び前記他方の被ガイド部材をそれぞれ内側へ付勢する付勢手段とで構成され、
前記カバー部材は、前記ヒンジ部を支点にして屈曲しており、地震によって一方と他方の躯体が揺れ動いた場合、前記階段は前記一方の躯体と同調して揺れ動く階段用目地装置。
【請求項３】
前記カバー部材の下部には、転動部材が設けられていることを特徴とする請求項１又は請求項２のいずれかに記載の階段用目地装置。
【請求項４】
前記ヒンジ部が前記カバー部材の一端部と他端部の略中間に常時位置させる維持手段を更に備えることを特徴とする請求項１乃至請求項３のいずれかに記載の階段用目地装置。
【請求項５】
前記階段は、自動式階段であることを特徴とする請求項１乃至請求項４のいずれかに記載の階段用目地装置。
【請求項６】
前記目地プレートは、前記階段の他端部にスライド可能に取り付けられていることを特徴とする請求項１乃至請求項５のいずれかに記載の階段用目地装置。
【手続補正２】
【補正対象書類名】明細書
【補正対象項目名】全文
【補正方法】変更
【補正の内容】
【発明の詳細な説明】
【技術分野】
【０００１】
本発明は一方の躯体と他方の躯体間に設けられた自動式階段（エスカレーター）を含む階段の踊り場と躯体との間の目地部を塞ぐ階段用目地装置に関する。
【背景技術】
【０００２】
従来、一方の躯体と他方の躯体間に設けられたエスカレーターや階段は、その一端部（下階部分）の踊り場が一方の躯体に固定され、他端部（上階部分）の踊り場が他方の躯体に固定されている。
ところで、「踊り場」とは、本願発明においては自動式階段や階段の端部に設けられた平坦部をいう。
【０００３】
このような階段やエスカレーターにおいて、地震によって躯体が揺れ動いた場合に、その揺れ動きを吸収できるものとしては、「構造物の或る階とその上階との間に免震装置を設置した中間免震構造物において、免震装置の上，下階にわたってエスカレータを設置するにあたり、免震装置の上，下階の一方に、エスカレータのフレームの一端側を縦軸芯周りで回転自在に支持させ、他方には、縦軸芯周りで回転自在な支持部材を設けて、当該支持部材にエスカレータのフレームの他端側を平面視でエスカレータ長手方向にスライド自在に支持させてあることを特徴とする免震エスカレータ」が知られている。
しかし、このような免震エスカレータでは、上下階のいずれにも支持部材や目地プレート等を設けなければならないという欠点があった。
【先行技術文献】
【特許文献】
【０００４】
【特許文献１】特開２０００−０９５４７１号公報
【発明の概要】
【発明が解決しようとする課題】
【０００５】
本発明は以上のような従来の問題点に鑑み、地震によって一方の躯体と他方の躯体が異なる方向に揺れ動いた場合であっても、破損等せずに地震による揺れ動きを吸収でき、かつ、容易に設置可能な階段用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明の請求項１に記載の階段用目地装置は、一方の躯体と、該一方の躯体に一端部が取り付けられた階段と、該階段の他端部の踊り場に目地部を介して設けられた他方の躯体と、該他方の躯体に設けられた目地プレート支持部と、前記階段の他端部に一端部が取り付けられ、他端部が前記目地プレート支持部に支持され、前記目地部を塞ぐ目地プレートと、前記他方の躯体に一端部が固定され、他端部が前記目地プレートに支持され、かつ、前記目地プレート支持部を覆うカバープレートと、前記階段の前後方向の側部に設けられ、前記目地部をカバーするカバー装置とで構成され、前記カバー装置は、前記階段の他端部の前後方向の両側部にそれぞれ設けられた一方の袖壁と、該一方の袖壁に対向するように他方の躯体にそれぞれ設けられた他方の袖壁と、前記一方の袖壁に一端部がスライド可能に挿入されるとともに、前記他方の袖壁に他端部がスライド可能に挿入され、ヒンジ部を有するカバー部材と、該カバー部材を内側へ付勢する付勢手段とで構成され、前記カバー部材は、前記ヒンジ部を支点にして屈曲しており、地震によって一方と他方の躯体が揺れ動いた場合、前記階段は前記一方の躯体と同調して揺れ動くことを特徴とする。
【０００８】
請求項２に記載の階段用目地装置は、一方の躯体と、該一方の躯体に一端部が取り付けられた階段と、該階段の他端部の踊り場に目地部を介して設けられた他方の躯体と、該他方の躯体に設けられた目地プレート支持部と、前記階段の他端部に一端部が取り付けられ、他端部が前記目地プレート支持部に支持され、前記目地部を塞ぐ目地プレートと、前記他方の躯体に一端部が固定され、他端部が前記目地プレートに支持され、かつ、前記目地プレート支持部を覆うカバープレートと、前記階段の前後方向の側部に設けられ、前記目地部をカバーするカバー装置とで構成され、前記カバー装置は、前記階段の他端部の前後方向の両側部にそれぞれ設けられた一方のガイド部材と、該一方のガイド部材に対向するように他方の躯体にそれぞれ設けられた他方のガイド部材と、前記一方のガイド部材に一端部がスライド可能に挿入される一方の被ガイド部材と、前記他方のガイド部材に一端部がスライド可能に挿入される他方の被ガイド部材と、前記一方の被ガイド部材に一端部が回転可能に連結され、前記他方の被ガイド部材に他端部が回転可能に連結され、ヒンジ部を有するカバー部材と、前記一方の被ガイド部材及び前記他方の被ガイド部材をそれぞれ内側へ付勢する付勢手段とで構成され、前記カバー部材は、前記ヒンジ部を支点にして屈曲しており、地震によって一方と他方の躯体が揺れ動いた場合、前記階段は前記一方の躯体と同調して揺れ動くことを特徴とする。
【０００９】
請求項３に記載の階段用目地装置の前記カバー部材の下部には、転動部材が設けられていることを特徴とする。
【００１０】
請求項４に記載の階段用目地装置の前記ヒンジ部が前記カバー部材の一端部と他端部の略中間に常時位置させる維持手段を更に備えることを特徴とする。
【００１１】
請求項５に記載の階段用目地装置の前記階段は、自動式階段であることを特徴とすることを特徴とする。
【００１２】
請求項６に記載の階段用目地装置の前記目地プレートは、前記階段の他端部にスライド可能に取り付けられていることを特徴とする。
【発明の効果】
【００１３】
以上の説明から明らかなように、本発明にあっては次に列挙する効果が得られる。
（１）請求項１及び請求項２に記載の各発明においては、階段の踊り場と他方の躯体との間に目地部を形成するとともに、この目地部を目地プレートやカバープレートで覆っているので、一方の躯体と他方の躯体が地震によって異なる揺れ動きをした場合であっても、躯体や階段が損傷することなく地震による揺れ動きを吸収することができる。
（２）階段は一方の躯体と同調して揺れ動くように設けられているので、階段の一端部側は、通常と同様の施工で設置することができる。
したがって、比較的容易に設置することができる。
（３）階段の他端部の前後方向に目地部が開口している場合であっても、この目地部付近への立ち入りを制限することができ、安全に使用することができる。
（４）請求項３に記載の発明についても、前記（１）〜（３）と同様な効果が得られるとともに、スムーズにカバー部材をスライドさせることができる。
（５）請求項４に記載の発明についても、前記（１）〜（４）と同様な効果が得られるとともに、地震による揺れ動きが終了した後、カバー部材を確実に通常状態に復帰させることができる。
（６）請求項５及び請求項６に記載の各発明についても、前記（１）〜（５）と同様な効果が得られる。
【図面の簡単な説明】
【００１４】
図１乃至図９は本発明の第１の実施形態を示す説明図である。
図１０乃至図１２は本発明の第２の実施形態を示す説明図である。
図１３乃至図１７は本発明の第３の実施形態を示す説明図である。
図１８乃至図２０は本発明の第４の実施形態を示す説明図である。
図２１乃至図２３は本発明の第５の実施形態を示す説明図である。
【図１】第１の実施形態の階段用目地装置の平面図。
【図２】図１の２−２線に沿う断面図。
【図３】図１の３−３線に沿う断面図。
【図４】目地部及び目地プレート支持部の説明図。
【図５】目地プレートの説明図。
【図６】カバー装置の説明図。
【図７】地震で目地部が狭くなった動作説明図。
【図８】地震で目地部が広くなった動作説明図。
【図９】地震で左右の躯体が異なる前後方向に揺れ動いた場合の動作説明図。
【図１０】第２の実施形態の階段用目地装置の平面図。
【図１１】図１０の１１−１１線に沿う断面図。
【図１２】カバー装置の説明図。
【図１３】第３の実施形態の階段用目地装置の平面図。
【図１４】図１３の１４−１４線に沿う断面図。
【図１５】図１３の１５−１５線に沿う断面図。
【図１６】目地部及び目地プレート支持部の説明図。
【図１７】地震で左右の躯体が異なる前後方向に揺れ動いた場合の動作説明図。
【図１８】第４の実施形態の階段用目地装置の平面図。
【図１９】図１８の１９−１９線に沿う断面図。
【図２０】カバー装置の説明図。
【図２１】第５の実施形態の階段用目地装置の平面図。
【図２２】図２１の２２−２２線に沿う断面図。
【図２３】カバー装置の説明図。
【発明を実施するための形態】
【００１５】
以下、図面に示す本発明を実施するための形態により、本発明を詳細に説明する。
図１乃至図９に示す本発明を実施するための第１の形態において、１は目地部２を介して設けられた一方の躯体３と他方の躯体４間に設置された階段５の他端部と他方の躯体４の間に設けられた階段用目地装置である。
【００１６】
なお、左右方向とは図１における左右方向（符号の向きを基準）であり、前後方向とは図１における上下方向（符号の向きを基準）をいい、上下方向とは図２における上下方向をいう。
【００１７】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１８】
この階段用目地装置１は、図１乃至図３に示すように、一方の躯体３と、該一方の躯体３に一端部が固定的に設けられた階段５と、該階段５の他端部の踊り場６に目地部２を介して設けられた他方の躯体４と、該他方の躯体４に設けられた目地プレート支持７と、前記階段５の他端部に一端部が取り付けられ、他端部が前記目地プレート支持部７に支持され、前記目地部２を塞ぐ目地プレート８と、前記他方の躯体４に一端部が固定され、他端部が前記目地プレート８に支持され、かつ、前記目地プレート支持部７の上方を覆うカバープレート９と、階段５の前後方向の側部の目地部２ａをカバーするカバー装置１０とで構成されている。
【００１９】
ここで、「目地部２を塞ぐ」とは、目地部２の上を歩行者等の通行が通行できるように、前記目地部の少なくとも一部を塞ぐという意味で、本実施形態においては、エスカレーター５の他端部と連続するように平面視方形状の目地プレート８が設けられ、目地部２の歩行者等の通行ができるように目地部２の一部を塞いでいる。
【００２０】
階段５は、本願発明では、エスカレーターと通常の階段の両方を含むものであり、本実施形態では、エスカレーター５を例にして説明する。なお、エスカレーター５自体は、一般的なエスカレーター５と同様の構成であるので、その説明を割愛する。
【００２１】
例えば図２に示すように、エスカレーター５の一端部（低い方）は、一方の躯体３の床面に取り付けられており、エスカレーター５の他端部（高い方）は、支持部材１１を介して一方の躯体３の床面に支持されている。そのため、エスカレーター５は一方の躯体３と一体的に設けられており、地震時には一方の躯体３と同調して揺れ動く。
【００２２】
このエスカレーター５の他端部側の踊り場６は、他方の躯体４とは連続しておらず、他方の躯体４との間に前後方向及び左右方向の目地部２を有している。
この目地部２は、例えば図４に示すように、エスカレーター５の他端部の左右方向及び前後方向に所定の長さ形成されており、地震の際に左右方向及び前後方向の揺れ動きを吸収できる長さとなっている。
【００２３】
この目地部２のうち左右方向の目地部２ｂは目地プレート８によって塞がれている。この目地プレート８は、本実施形態においては、エスカレーター５の他端部側の踊り場６に連続するように、その一端部が前記踊り場６に固定的に取り付けられている。
【００２４】
エスカレーター５の他端部側の踊り場６と対向する他方の躯体４の部位には、凹所状の目地プレート支持部７が形成されており、この目地プレート支持部７の上面に前記目地プレート８の他端部が支持される。
【００２５】
本実施形態においては、図５に示すように、目地プレート８は平面視正方形あるいは矩形状で板状の部材で、目地プレート８の他端部側の底面に複数個のローラー等の転動部材１２が所定間隔を有して設けられており、この転動部材１２を介して目地プレート８の他端部が目地プレート支持部７に支持されている。なお、目地プレート８の他端部側の底面に転動部材１２を設けず、直接目地プレート支持部７の上面に目地プレート８を当接させ、支持してもよい。
【００２６】
この目地プレート８は、目地部２（地震による揺れ動き幅）の２倍以上、本実施形態においては、約２倍に形成されている。
【００２７】
目地プレート支持部７の長さは、少なくとも地震による揺れ動き幅の２倍以上で、かつ、地震時に目地プレート８が衝突しない寸法に形成されており、前後方向の寸法は、目地部２の前後方向の寸法と略同寸法に形成されている。
【００２８】
この目地プレート支持部７の上部には、カバープレート９が設けられ、凹所状の目地プレート支持部７を塞いでいる。このカバープレート９は、一端部が他方の躯体４の床面に固定され、他端部付近が目地プレート８の上面に支持されている。
【００２９】
前後方向の目地部２ａは、本実施形態においては、カバー装置１０を用いて目地部２ａに立ち入ることができないようにカバーしている。
【００３０】
このカバー装置１０は、本実施形態においては、図１、図６等に示すように、エスカレーター５の他端部の前後方向の両側部にそれぞれ設けられた一方の袖壁１３と、該一方の袖壁１３に対向するように他方の躯体４にそれぞれ設けられた他方の袖壁１４と、前記一方の袖壁１３に一端部がスライド可能に挿入されるとともに、前記他方の袖壁１４に他端部がスライド可能に挿入され、ヒンジ部１５を有するカバー部材１６と、該カバー部材１６を内側へ付勢する付勢手段１７とで構成されている。
【００３１】
一方の袖壁１３及び他方の袖壁１４は、正面視長方形状で、一方の側面が開口しており、内部が空洞状となっている。この空洞の部位にカバー部材１６の一端部及び他端部が挿入される。
【００３２】
前記カバー部材１６は、一端部及び他端部に前記袖壁１４に挿入される挿入部１８が形成されており、この挿入部１８と回動可能にカバー部材本体１９が接続されている。このカバー部材本体１９のほぼ中央部にはヒンジ部１５が形成されており、カバー部材本体１９は略山型になるように屈曲している。
すなわち、カバー部材１６は、前記ヒンジ部１５を支点にして外側へ凸となるように屈曲している。
【００３３】
前記付勢手段１７は、本実施形態においては、コイルスプリングを用いており、カバー部材本体１９に一端部が固定され、他端部が一方の袖壁１３又は他方の袖壁１４の内壁に固定されている。この付勢手段１７によって、カバー部材１６を内側（図２における左方向、カバー部材が露出する方向と逆側）へ引っ張るように付勢している。
本実施形態においては、一方の袖壁１３と他方の袖壁１４の両方に付勢手段１７を設けているが、どちらか一方のみに付勢手段１７をもうけてもよい。
【００３４】
このようにカバー部材１６を付勢することにより、カバー部材１６の挿入部１８が袖壁１３、１４から脱落することを防止するとともに、地震による揺れ動いた後、カバー部材１６を通常状態に自動的に復帰させることができる。
ところで、カバー部材本体１９や挿入部１８の底面にローラーやすべり材、ベアリング等の転動部材を設けてもよい。
【００３５】
また、カバー装置１０はこのような形態に限定されるものではなく、一対の袖壁１３、１４の間に伸縮可能なカバー等を設けるものであってもよいし、地震の揺れ動きに追従可能な壁パネル、手すり等を設けたものであってもよい。
【００３６】
地震で左右の躯体３、４が左右方向に揺れ動き、左右方向の目地部２ｂが狭くなると、図７に示すように、エスカレーター５は一方の躯体３に同調して揺れ動き、目地プレート８が目地プレート支持部７上を左右方向にスライド移動してその揺れ動きを吸収する。また、カバー装置１０のカバー部材１６の他端部側の挿入部１８も他方の袖壁１４から一部露出するように外方へ飛び出し、揺れ動きを吸収する。
【００３７】
地震で左右の躯体３、４が左右方向に揺れ動き、左右方向の目地部２ｂが広くなると、図８に示すように、エスカレーター５は一方の躯体３に同調して揺れ動き、目地プレート８が目地プレート支持部７上を左右方向にスライド移動してその揺れ動きを吸収する。また、カバー装置１０のカバー部材１６の一端部側の挿入部１８も一方の袖壁１３から一部露出するように外方へ飛び出し、揺れ動きを吸収する。
【００３８】
地震で左右の躯体３、４が前後方向に揺れ動き、前後方向の目地部２ａが狭くなると、図９に示すように、カバー装置１０のカバー部材１６がヒンジ部１５を支点に変形し、その揺れ動きを吸収する。
【００３９】
［発明を実施するための異なる形態］
次に、図１０乃至図２３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００４０】
図１０乃至図１２に示す本発明を実施するための第２の形態において、前記本発明を実施するための第１の形態と主に異なる点は、パンタグラフ状となるようにヒンジ部１５で連結したカバー部材本体１９Ａを用いたカバー部材１６Ａとし、このカバー部材１６Ａの内側にコイルスプリング２０を設けたカバー装置１０Ａを用いた点で、このような階段用目地装置１Ａにしても、前記本発明を実施するための第１の形態と同様の作用効果を得ることができる。
【００４１】
ところで、コイルスプリング２０については、必ずしも設けなくてもよいがこのコイルスプリング２０を設けることにより、カバー部材１６の通常状態（図１０の状態）への復帰がスムーズになる。
【００４２】
図１３乃至図１７に示す本発明を実施するための第３の形態において、前記本発明を実施するための第１の形態と主に異なる点は、エスカレーター５の他端部に設けられたスライドレール２１と、該スライドレール２１に一端部がスライド可能に支持された目地プレート８Ａを用いた点で、このような階段用目地装置１Ｂにしても、前記本発明を実施するための第１の形態と同様の作用効果を得ることができる。
【００４３】
本実施形態においては、目地プレート８Ａの前後方向の寸法は、目地部２の前後方向の寸法と略同寸法に形成されている。この目地プレート８Ａの一端部には、ローラー等の転動部材１２が設けられており、この転動部材１２が前記スライドレール２１上を摺動する。
【００４４】
地震で左右の躯体３、４が前後方向に揺れ動き、前後方向の目地部２ａが狭くなると、図１７に示すように、カバー装置１０のカバー部材１６がヒンジ部１５を支点に変形するとともに、目地プレート８Ａの一端部側の転動部材１２がスライドレール上を摺動し、その揺れ動きを吸収する。
【００４５】
すなわち、目地プレート８Ａがスライド可能に取り付けられていることにより、目地プレート８Ａが他方の躯体４と同調して揺れ動いても、目地プレート８Ａやエスカレーター５等が破損することなく地震による揺れ動きを吸収することができる。
このように構成することにより、エスカレーター５の他端部と他方の躯体４の床面間の目地部２の全体を確実に塞ぐことができる。
【００４６】
図１８乃至図２０に示す本発明を実施するための第４の形態において、前記本発明を実施するための第１の形態と主に異なる点は、一方の袖壁に代えて一方のガイド部材２２を用いるとともに、他方の袖壁に代えて他方のガイド部材２３を用い、前記一方のガイド部材２２に一端部がスライド可能に挿入される一方の被ガイド部材２４と、前記他方のガイド部材２３に一端部がスライド可能に挿入される他方の被ガイド部材２５と、前記一方の被ガイド部材２４に一端部が回転可能に連結され、前記他方の被ガイド部材２５に他端部が回転可能に連結され、ヒンジ部１５を有するカバー部材１６Ｂを用いてカバー装置１０Ｂを構成し、ヒンジ部１５が前記カバー部材１６Ｂの一端部と他端部の略中間に常時位置させる維持手段２６を更に備えた点で、このような階段用目地装置１Ｃにしても前記本発明を実施するための第１の形態と同様の作用効果を得ることができる。
【００４７】
一方のガイド部材２２は、上下一対の円筒状又は角筒状（パイプ状又は角パイプ状）、本実施形態においては、角筒状のガイド部材本体２７と、該ガイド部材本体２７を上下方向に連結するとともに、その下端部がエスカレーター５の他端部の床面に固定された固定脚２８とで構成されている。
【００４８】
なお、このガイド部材本体２７は、上下一対でなくてもよく、例えば、１つでもよいし、上下方向に３個以上設けてもよい。また、この上下のガイド部材本体２７の間にカバー板等を設けてもよく、カバー板等を設けない場合には、縦桟や横桟等を設けてもよい。
【００４９】
他方のガイド部材２３も一方のガイド部材２２と同様の構成であり、他方のガイド部材２３の固定脚２８の底面は他方の躯体４の床面に固定されている。
【００５０】
一方及び他方の被ガイド部材２４、２５は、一端部側がガイド部材本体２７に挿入される角柱状の部材で、他端部にはカバー部材１６Ｂが回転可能に設けられている。なお、この被ガイド部材を内側に付勢する付勢手段１７が設けられている。
【００５１】
カバー部材１６Ｂは、本実施形態においては、平面視山型状でその頂点部分にヒンジ部１５を備える上下一対のリンク部材２９と、このヒンジ部１５及び被ガイド部材２４、２５との接続部付近に設けられた支持脚３０と、この支持脚３０の下部に設けられたローラー等の転動部材１２とで構成されている。この支持脚３０はカバープレート９の段差を乗り越えられる程度に上下方向に移動できることが望ましい。
【００５２】
このリンク部材２９についても、上下一対でなくてもよく、例えば上下方向に３個以上設けてもよい。また、このリンク部材２９の間にカバー板等を設けてもよく、カバー板等を設けない場合には、縦桟や横桟等を設けてもよい。
【００５３】
ところで、本実施形態のヒンジ部１５は、リンク部材２９に設けられた透孔と、この透孔を貫通するボルトとで構成されており、このボルトの先端部に支持脚３０の縦桟等が螺合状態で取り付けられている。このボルトは、リンク部材の透孔と当接する部分にはネジ部を形成しないほうが望ましい。また、被ガイド部材２４、２５との接続部付近に設けられた支持脚３０については、リンク部材２９に溶接等により固定している。
ところで、被ガイド部材２４、２５についてもリンク部材２９との接続部付近に支持脚３０を設けてもよい。
【００５４】
維持手段２６は、本実施形態においては、一端部がガイド部材２２、２３にスライド移動及び回転可能取り付けられ、他端部が対抗する被ガイド部材２４、２５に回転可能に枢支され、かつ、中央枢支部３１を備えるパンタグラフ３２で構成されており、この中央枢支部３１は、常時一方のガイド部材２２と他方のガイド部材２３の前後方向の略中間部に位置する。この維持手段２６のパンタグラフ３２の他端部が被ガイド部材に取り付けられているため、地震によって一方及び他方の躯体３、４が揺れ動き、例えば一方の被ガイド部材２４がガイド部材２２から引き出されるように動作したとき、他方の被ガイド部材２５も同様にガイド部材２３から引き出され、ヒンジ部１５が前後方向のどちらかに移動することなく、常時一方のガイド部材２２と他方のガイド部材２３の略中間部に位置させることができる。
【００５５】
図２１乃至図２３に示す本発明を実施するための第５の形態において、前記本発明を実施するための第４の形態と主に異なる点は、エルボ状に形成され、その屈曲部分を回転可能に接続したヒンジ部１５にしたリンク部材２９Ａを用いたカバー部材１６Ｃを用いてカバー装置１０Ｃを構成した点で、このようなカバー装置を用いた階段用目地装置１Ｄにしても前記本発明を実施するための第４の形態と同様の作用効果を得ることができる。
なお、本発明の実施形態においては、自動式階段を想定して説明したが、本発明はこれに限られず、通常の階段に用いてもよい。
【００５６】
また、本発明の実施形態においては、カバー装置を有するものについて説明したが、例えば前後方向の揺れ動きが生じないような場合には、前後方向に目地部を形成する必要がないため、カバー装置を設けなくてもよく、前後方向に目地部を形成する場合であっても、目地プレートやカバープレート等で前後方向の目地部を塞ぎ、カバー装置を設けなくてもよい。
【００５７】
目地プレートについては、実施形態では平面視略方形状のものについて説明したが、平面視略Ｔ字状、平面視略コ字状の目地プレートを用いて目地部のすべての部分を塞いでもよい。このような場合、この目地プレートを支持でき、かつ、地震によって一方と他方の躯体が揺れ動いた場合に、目地プレートが衝突しないような目地プレート支持部（例えば略コ字状等）に形成し、カバープレートもこの目地プレート支持部の形状に合わせて形成する。
【００５８】
本発明の実施形態においては、階段の他端部は支持部材を介して一方の躯体に支持されていたが、例えば階段の他端部をベアリング等の転動部材を介してスライド可能に他方の躯体で支持し、地震時には一方の躯体と同調して揺れ動くように構成してもよい。
【産業上の利用可能性】
【００５９】
本発明は階段用目地装置を製造する産業で利用される。
【符号の説明】
【００６０】
１、１Ａ、１Ｂ、１Ｃ、１Ｄ：階段用目地装置、
２：目地部、
３：一方の躯体、                    ４：他方の躯体、
５：階段、                          ６：踊り場、
７：目地プレート支持部、            ８、８Ａ：目地プレート、
９：カバープレート、                
１０、１０Ａ、１０Ｂ、１０Ｃ：カバー装置、
１１：支持部材、                    １２：転動部材、
１３：一方の袖壁、                  １４：他方の袖壁、
１５：ヒンジ部、                    
１６、１６Ａ、１６Ｂ、１６Ｃ：カバー部材、
１７、１７Ａ：付勢手段、            １８：挿入部、
１９、１９Ａ：カバー部材本体、      ２０：コイルスプリング、
２１：スライドレール、              ２２：一方のガイド部材、
２３：他方のガイド部材、            ２４：一方の被ガイド部材、
２５：他方の被ガイド部材、          ２６：維持手段、
２７：ガイド部材本体、              ２８：固定脚
２９、２９Ａ：リンク部材、          ３０：支持脚、
３１：中央枢支部、                  ３２：パンタグラフ。